(57)【要約】【課題】消費電力を抑え、さらに利用者が自ら操作して情報を得ることが出来る情報表示端末機能を有する照明装置を供給する。【解決手段】支持体と、支持体に取り付けられた太陽電池と、太陽電池で発生した電力を蓄電する蓄電池と、支持体に取り付けられた照明部と、支持体に取り付けられ、表示画面を有する情報表示端末と、を備えた照明装置であって、照明部は支持体の周辺及び情報表示端末を照射し、情報表示端末の表示画面は、反射型表示装置である照明装置。【選択図】図１
2013201025.tif 000002
【特許請求の範囲】
【請求項１】
支持体と、
前記支持体に取り付けられた太陽電池と、
前記太陽電池で発生した電力を蓄電する蓄電池と、
前記支持体に取り付けられた照明部と、
前記支持体に取り付けられ、表示画面を有する情報表示端末と、
を備えた照明装置であって、
前記照明部は、前記支持体の周辺及び前記情報表示端末を照射し、
前記情報表示端末は、反射型表示装置である照明装置。
【請求項２】
前記照明部は、発光ダイオードを光源とする請求項１に記載の照明装置。
【請求項３】
前記照明部は、複数の光源から構成され、前記複数の光源の少なくとも１つは、前記表示画面を照射する請求項１または２に記載の照明装置。
【請求項４】
前記照明装置は、前記情報表示端末の高さ及び向きを変える手段を有する請求項１〜３のいずれかに記載の照明装置。
【請求項５】
前記照明装置は、カメラを有する請求項１〜４のいずれかに記載の照明装置。
【請求項６】
前記照明装置は、人感センサを有する請求項１〜５のいずれかに記載の照明装置。
【請求項７】
前記情報表示端末は、情報送受信部を有する請求項１〜６のいずれかに記載の照明装置。
【請求項８】
前記情報表示端末は、無線により情報送受信を行う請求項７に記載の照明装置。
【発明の詳細な説明】
【技術分野】
【０００１】
本発明は、照明装置、特に、太陽電池、蓄電池、発光ダイオードを光源とする照明部及び情報表示端末を有する照明装置に関する。
【背景技術】
【０００２】
太陽電池により発生した電力を電源とする照明装置は、外部からの電源供給が無くても稼働することが可能であるため、外部からの電源供給が難しい場所への設置や、災害などの非常時に役に立つ機器として従来から提案されている。
【０００３】
そして、利便性向上を目的として、太陽光発電を利用した照明装置に情報表示機能を加えた機器が従来から提案されている。
【０００４】
図９は、特許文献１における多目的公共通信情報装置である。多目的公共通信情報装置１００は、塔柱１０１に、非常用電源確保手段である太陽蓄電池１０２と、投光照明器１０３と、テレビ受像機１０４と、公衆電話機１０５と、テレビカメラ１０６とを設けたものであり、平常時は生活の連絡手段や地域活動等に活用し、非常時は行政からの情報提供や市民からの情報連絡に使うことが示されている。
【０００５】
また、図１０は、特許文献２における照明装置である。照明装置１１０は、支柱１１１と、太陽電池パネル１１２と、灯具１１３と、表示部１１４と、蓄電池を内部に有するバッテリボックス１１５とからなり、灯具１１３の光源はＬＥＤで、表示部１１４は表示装置であってもよいことが示されている。
【先行技術文献】
【特許文献】
【０００６】
【特許文献１】特開平９−１６２８２３号公報
【特許文献２】特開２０１１−６５７６８号公報
【発明の概要】
【発明が解決しようとする課題】
【０００７】
しかし、特許文献１の多目的公共通信情報装置１００においては、太陽蓄電池１０２は、電力消費が比較的少ない通信手段の非常用電源として用いるか、平常時に節電のため消費電力の一部を賄うために設けられているだけである。よって、特許文献１の多目的公共通信情報装置１００は、照明器１０３及びテレビ受像機１０４の電力を賄うため、一般使用電力の供給及び太陽蓄電池１０２とは別の非常電源が必要という問題があった。
【０００８】
また、特許文献２における照明装置１１０においても、灯具１１３の光源にＬＥＤを用いることで低消費電力化を図ってはいるものの、表示部１１４に用いる表示装置については、電力消費を抑える対策は何も行われていない。そのため、昼間に発電量が不十分であった場合は、夜間に蓄電池の電力を使い切り使用不能になる恐れがある。よって、照明装置１１０の表示部１１４に表示装置を用いるためには、大型の太陽電池及び大容量の蓄電池を組み込む必要があり、装置自体の小型化が難しくなる上、装置の価格も高くなるという問題があった。
【０００９】
さらに、特許文献１及び特許文献２の装置における情報表示機能は、いずれも装置管理者等から発信された情報を表示するのみであったため、利用者にとっては必ずしも有益な情報が得られる装置ではないという問題があった。
【００１０】
本発明はこれらの課題に鑑みてなされたもので、その目的は、消費電力を抑え、さらに利用者が自ら操作して情報を得ることが出来る情報表示端末機能を有する照明装置を供給することにある。
【課題を解決するための手段】
【００１１】
本発明は、支持体と、支持体に取り付けられた太陽電池と、太陽電池で発生した電力を蓄電する蓄電池と、支持体に取り付けられた照明部と、支持体に取り付けられ、表示画面を有する情報表示端末とを備えた照明装置であって、照明部は、支持体の周辺及び情報表示端末を照射し、情報表示端末は、反射型表示装置であることを特徴とする照明装置である。
【００１２】
ここで、本発明の照明装置においては、照明部は発光ダイオードを光源とすることが好ましい。
【００１３】
また、本発明の照明装置においては、照明部は複数の光源から構成され、複数の光源の少なくとも１つは、表示画面を照射することが好ましい。
【００１４】
また、本発明の照明装置においては、情報表示端末の高さ及び向きを変える手段を有することが好ましい。
【００１５】
また、本発明の照明装置においては、カメラを有することが好ましい。
【００１６】
また、本発明の照明装置においては、人感センサを有することが好ましい。
【００１７】
また、本発明の照明装置においては、情報表示端末は、情報送受信部を有することが好ましい。
【００１８】
また、本発明の照明装置においては、情報表示端末は、無線により情報送受信を行うことが好ましい。
【発明の効果】
【００１９】
本発明によれば、消費電力を抑え、さらに利用者が自ら操作して情報を得ることが出来る情報表示端末機能を有する照明装置を供給することが出来る。
【図面の簡単な説明】
【００２０】
【図１】本発明に係る実施形態１の照明装置の概略図である。
【図２】本発明に係る実施形態１の照明装置の発光ダイオード（以降ＬＥＤとする）照明部及び情報表示端末を中心に拡大した図である。
【図３】本発明に係る実施形態１の照明装置の電源制御系の構成を示すブロック図である。
【図４】本発明に係る実施形態１の照明装置の情報表示端末の構成を示すブロック図である。
【図５】反射型液晶表示装置と透過型液晶表示装置とを示す図である。
【図６】本発明に係る実施形態２の照明装置の概略図である。
【図７】本発明に係る実施形態２の照明装置の電源制御系の構成を示すブロック図である。
【図８】本発明に係る実施形態２の照明装置の電源制御系の構成を示すブロック図である。
【図９】特許文献１における多目的公共通信情報装置を示す図である。
【図１０】特許文献２における照明装置を示す図である。
【発明を実施するための形態】
【００２１】
以下、本発明を実施するための最良の形態を図を用いて説明する。
（実施形態１）
図１は、本発明に係る実施形態１の照明装置の概略図である。本発明に係る実施形態の照明装置１０は、地上に埋め込み固定された支持体１１と、支持体１１の頂部に取り付けられた太陽電池１２と、太陽電池の直下で支持体１１に取り付けられたＬＥＤ照明部１３と、ＬＥＤ照明部１３の直下で支持体１１に取り付けられた情報表示端末１４と、支持体１１の内部に格納された蓄電池１５と、人感センサ５１とで構成されている。ＬＥＤ照明部１３から発せられる光は、情報表示端末照射用である端末照射光１６及び周辺照射用拡散光である照明光１７として情報表示端末１４及び照明装置１０の周辺を照射する。
【００２２】
次に、本発明に係る実施形態の照明装置のＬＥＤ照明部の構造を図を用いて説明する。
【００２３】
図２は、本発明に係る実施形態の照明装置のＬＥＤ照明部及び情報表示端末を中心に拡大した図である。ＬＥＤ照明部１３は、複数のＬＥＤ光源から構成されており、一部が端末照射光１６の光源である端末照射用ＬＥＤ光源１８に、残りが照明光１７の光源である照明用ＬＥＤ光源１９に割り当てられている。端末照射用ＬＥＤ光源１８には指向性の強い光を発するＬＥＤを用い、ここから発せられた指向性の強い端末照射光１６を情報表示端末１４の表示画面に集中的に照射する。これにより、情報表示端末１４の夜間時の表示に必要な光量を確保することが可能となる。
【００２４】
なお、端末照射用ＬＥＤ光源１８はＬＥＤ照明部１３内のどの位置にあってもよい。また、端末照射用ＬＥＤ光源１８と照明用ＬＥＤ光源１９との割合も合理的であればどの割合であってもよい。
【００２５】
また、情報表示端末１４は、端末用支持体５０により支持体１１に接続されている。端末用支持体５０と支持体１１との接続部には、端末用支持体５０の位置を上下に移動させることが出来る機構を有している。また、情報表示端末１４と端末用支持体５０との接続部には、情報表示端末の向きを変えることが出来る機構を有している。これらの機構により、視認性を損なわない範囲で、情報表示端末１４を利用者が使いやすい高さまたは向きに変えることが可能となっている。
【００２６】
また、情報表示端末１４の下部には、人感センサ５１が取り付けられており、情報表示端末１４の利用者の有無を判別することが可能となっている。
【００２７】
次に、本発明に係る実施形態の照明装置の電源制御系の構成を図を用いて説明する。
【００２８】
図３は、本発明に係る実施形態の照明装置の電源制御系の構成を示すブロック図である。照明装置１０は太陽電池１２、ＬＥＤ照明部１３、情報表示端末１４及び蓄電池１５、および人感センサ５１で構成され、さらに蓄電池１５は蓄電池制御部２１と蓄電部２２で構成されている。太陽電池１２で発生した電力は蓄電池制御部２１を介して蓄電部２２に蓄電される。
【００２９】
蓄電池制御部２１は、太陽電池１２の出力電圧を検出し、その数値に応じて、昼または夜のいずれであるかを判定し、夜になったと判定した場合は、蓄電部２２に蓄電されている電力をＬＥＤ照明部１３に供給することによりＬＥＤ照明部１３を点灯し、昼になったと判定した場合は、蓄電部２２からＬＥＤ照明部１３に供給されている電力を停止することによりＬＥＤ照明部１３を消灯する。
【００３０】
また、蓄電池制御部２１は、蓄電部２２に蓄電されている電力を、情報表示端末１４、及び人感センサ５１にそれぞれ供給する。
【００３１】
次に、本発明に係る実施形態の照明装置の情報表示端末の構成を図を用いて説明する。
【００３２】
図４は、本発明に係る実施形態の照明装置の情報表示端末の構成を示すブロック図である。情報表示端末１４は、情報表示端末制御部３１、記憶部３２、表示部３３、情報送受信部３４及び操作部３５で構成されている。
【００３３】
情報表示端末１４は、外部情報通信回線３６を通して情報送受信部３４に送信されてきた情報又は利用者が操作部３５を操作することで入力された情報を情報表示端末制御部３１が受け取り、記憶部３２に格納することが出来る。
【００３４】
また、情報表示端末１４は、外部情報通信回線３６を通して情報送受信部３４に送信されてきた情報又は利用者が操作部３５を操作することで入力された情報を情報表示端末制御部３１が受け取り、その情報を元に記憶部３２又は情報送受信部３４から外部情報通信回線３６に接続して外部にある情報端末を参照して情報を呼び出し、呼び出した情報を表示部３３に表示することが出来る。
【００３５】
また、情報表示端末１４は、人感センサ５１から照明装置１０の周辺に人がいるかどうかの感知情報を情報制御端末制御部３１が受け取り、人がいない感知情報を一定時間以上受けた場合は、情報表示端末１４の一部機能を停止することが出来る。
【００３６】
また、情報表示端末１４の表示部３３は反射型表示装置を使用している。反射型表示装置は外部からの入射光を表示画面で反射し、その反射光を光源として用いる表示装置である。ここで、本発明の実施形態に係る照明装置に用いられる反射型表示装置の一例である反射型液晶表示装置と、現在一般的に多く用いられている透過型液晶表示装置とについて説明する。
【００３７】
図５（ａ）に示す反射型液晶表示装置４０ａは、下部側基板４１ａ、液晶層４２、及び液晶層４２を介して下部側基板４１ａに対向配置された対向側基板４３を有している。反射型液晶表示装置４０ａは表示面側からの入射光４４を光源としている。以下にその仕組みを説明する。反射型液晶表示装置４０ａの表示面側からの入射光４４は、一部が対向電極４３の表面で反射して表面反射光４５ｂとなり、残りが対向側基板４３及び液晶層４２を透過し、下部側基板４１ａで反射する。その後反射光が液晶層４２及び対向側基板４３を再び透過し、表示光４５ａとして視認者４６に届く。したがって、反射型液晶表示装置４０ａを屋外に設置された照明装置の下で使用する場合、昼間は太陽光が入射光４４として作用し、夜間は照明装置の光が入射光４４として作用するため、液晶表示装置内に専用の光源を用意する必要が無い。なお、表面反射光４５ｂは液晶層４２を通らずに視認者４６に届くと視認性が悪くなる。よって、対向基板４３の表示画面側の面は反射率を下げる処理がされており、それにより、表面反射光４５ｂの強さは表示光４５ａの強さより低く抑えらる。また、表示光４５ａ及び表面反射光４５ｂは共に入射光４４を光源としているため、例え入射光４４が強くなり、それに伴い表面反射光４５ｂが強くなっても、表示光４５ａも同じく強くなり、その結果、視認者４６の視認性は維持される。
【００３８】
一方、図５（ｂ）に示す透過型液晶表示装置４０ｂは、下部側基板４１ｂ、液晶層４２、液晶層４２を介して下部側基板４１ｂに対向配置された対向側基板４３及びバックライト４７を有している。以下にその仕組みを説明する。下部側基板４１ｂの裏面に配置されたバックライト４７を光源とした光は、下部側基板４１ｂ、液晶層４２及び対向側電極４３を透過した後、表示光４７ｂとして視認者４６に届く。したがって、透過型液晶表示装置４０ｂは常にバックライト４７を点灯させる必要がある。また、透過型液晶表示装置４０ｂの表示面側からの入射光４４は、大半が下部側基板４１ｂも透過するが、一部が対向電極４３の表面で反射して表面反射光４５ｂとなる成分となって視認者に４６に届き、視認性を悪くする。そして、昼間の太陽光などにより、入射光４４が強くなると、表面反射光４５ｂも強くなるため、視認性を確保するためには、バックライト４７の明るさを上げ、表示光４７ｂが表面反射光４５ｂよりも強くなるようにする必要がある。その結果、消費電力が大きくなる。
【００３９】
上記の通り、本発明の実施形態に係る照明装置においては、情報表示端末１４の表示部３３に反射型表示装置を用いることにより、バックライトなどの表示装置用の光源が不要となり、消費電力を低減することが可能となる。
【００４０】
また、情報表示端末１４は、外部と情報を送受信する情報送受信部を有している。
【００４１】
一例として、照明装置１０の管理者が市町村などの地方公共団体であった場合、管理者は、住民への配信情報を外部情報通信回線３６を通じて照明装置１０の情報表示端末１４に送信し、それを情報表示端末１４の情報送受信部３４が受信し、情報表示端末制御部３１が情報を記憶部３２に格納するとともに表示部３３に配信情報を表示させることが出来る。また、住民が地方公共団体に関する情報を得たい場合、利用者が情報表示端末１４の操作部３５を用いて目的の情報名を入力し、それを情報表示制御部３１が受け取った上で、記憶部３２に格納された情報または情報送受信部３４を用いて外部情報端末にある情報を検索し、検索結果を表示部３３に表示させることにより、利用者は目的の情報を自らの操作により得ることが出来る。
【００４２】
また、別の一例として、災害などの非常時は、停電が長時間に及ぶ場合があり、自宅のパソコンなど外部電源を用いた機器はもちろんのこと、携帯電話などの電池を用いた機器も電池切れにより使用困難になる場合がある。このような時でも、本発明の照明装置１０は、太陽電池１２による発電と蓄電池１５による電源供給により、情報表示端末１４の駆動が可能であるため、利用者自身の安否情報の登録や利用者の関係者の安否情報の確認、さらに、防災ラジオでは得ることが難しい避難所や水などの食料配給の場所の地図などの情報も、先の例と同じフローにより可能である。また、停電により周辺が真っ暗な夜間においても、蓄電池１５からＬＥＤ照明部１３への電源供給による周辺照射が可能であるため、本発明の照明装置１０による情報の取得が可能である。
【００４３】
また、情報表示端末１４の情報送受信部３４は無線により外部情報通信回線との送受信を行うことが出来る。これにより、有線の情報通信回線を別途用意しなくても既存の無線通信サービスを使用して外部から情報を送受信することが出来るため、日照の得られる場所で、かつ既存の無線通信サービスが使用可能な場所であれば、高機能の照明装置を外部電源無しで設置することが可能となる。
（実施形態２）
図６は、本発明に係る実施形態２の照明装置の概略図である。実施形態１とは、カメラ５２を備えている点が異なる。それ以外は、実施形態１と同様である。
【００４４】
本発明に係る実施形態の照明装置２０は、地上に埋め込み固定された支持体１１と、支持体１１の頂部に取り付けられた太陽電池１２と、太陽電池の直下で支持体１１に取り付けられたＬＥＤ照明部１３と、ＬＥＤ照明部１３の直下で支持体１１に取り付けられた情報表示端末１４と、支持体１１の内部に格納された蓄電池１５と、人感センサ５１と、カメラ５２とで構成されている。
【００４５】
カメラ５２は、ＬＥＤ照明部１３の側面部に取り付けられている。また、カメラ５２は、情報表示端末１４及びその周辺が撮影されるよう設置されている。なお、カメラ５２の取り付け場所は、情報表示端末１４およびその周辺が撮影される場所であることが好ましい。
【００４６】
図７は、本実施形態の照明装置の電源制御系の構成を示すブロック図である。照明装置１０は太陽電池１２、ＬＥＤ照明部１３、情報表示端末１４及び蓄電池１５、人感センサ５１およびカメラ５２で構成され、さらに蓄電池１５は蓄電池制御部２１と蓄電部２２で構成されている。太陽電池１２で発生した電力は蓄電池制御部２１を介して蓄電部２２に蓄電される。
【００４７】
蓄電池制御部２１は、蓄電部２２に蓄電されている電力を情報表示端末１４、人感センサ５１及びカメラ５２にそれぞれ供給する。
【００４８】
図８は、本実施形態の照明装置の情報表示端末の構成を示すブロック図である。情報表示端末１４は、情報表示端末制御部３１、記憶部３２、表示部３３、情報送受信部３４及び操作部３５で構成されている。
【００４９】
情報表示端末１４は、カメラ５２からの撮影データを情報制御端末制御部３１が受け取り、それを記憶部３２に格納するとともに情報送受信部３４から外部情報通信回線を通して外部にある情報端末に送信することが出来る。
【００５０】
また、カメラ５２は、固体撮像素子とレンズが一体となった固体撮像装置と、カメラ用制御部と、カメラ用記憶部とを有している。
【００５１】
カメラ５２は、固体撮像装置により周辺を随時撮影し、カメラ制御部で撮影画像を処理し、カメラ記憶部に撮影データを一定時間毎ごとに保存する。そして、一定時間毎の撮影データを情報表示端末１４に送信する。情報表示端末１４が受け取った撮影データは情報表示端末１４内の記憶部に保存されるとともに、情報送受信部を介して外部の情報端末に送信される。情報表示端末１４に送信後のカメラ記憶部内の撮影データは、後の撮影データを上書きすることにより消去される。これにより、照明装置周辺での犯罪を抑止することが可能となる。また、情報表示端末１４に破壊行為があった場合は、カメラ５２が情報表示端末１４との情報送受信が出来なくなったことを破壊行為があったとして感知し、カメラ用記憶部に破壊行為感知直後から一定時間までの撮影データを記憶した後、撮影を中断する。撮影中断によりカメラ５２のカメラ用記憶部への撮影データの上書き保存も停止され、破壊行為時の撮影データがカメラ記憶部に残る。これにより、情報表示端末１４の破壊行為を抑止することが可能となる。
【００５２】
なお、本発明は上記実施形態に限定されるものではなく、本発明の範囲内で上記実施形態に多くの修正及び変更を加え得ることはもちろんである。
【００５３】
たとえば、本発明の照明装置の情報表示端末の操作部は操作キーによるものでも良いし、表示部に搭載されたタッチパネルによるものでもよい。
【００５４】
また、本発明の照明装置の情報表示端末は表示画面に表示された情報を利用者が所有する携帯情報端末に転送する手段を有してもよい。
【符号の説明】
【００５５】
１０：照明装置、１１：支持体、１２：太陽電池、１３：ＬＥＤ照明部、１４：情報表示端末、１５：蓄電池、１６：端末照射光、１７：照明光、１８：端末照射用ＬＥＤ光源、１９：照明用ＬＥＤ光源、２１：蓄電池制御部、２２：蓄電部、３１、情報表示端末制御部、３２：記憶部、３３：表示部：３４：情報送受信部、３５：操作部、４０ａ：反射型液晶表示装置、４０ｂ：透過型液晶表示装置、４１ａ及び４１ｂ：下部側基板、４２：液晶層、４３：対向側基板、４４:入射光、４５ａ及び４５ｂ：表示光、４６：視認者、４７：バックライト、５０：端末用支持体、５１：人感センサ、５２：カメラ
【図１】
2013201025.tif 000003
【図２】
2013201025.tif 000004
【図３】
2013201025.tif 000005
【図４】
2013201025.tif 000006
【図５】
2013201025.tif 000007
【図６】
2013201025.tif 000008
【図７】
2013201025.tif 000009
【図８】
2013201025.tif 000010
【図９】
2013201025.tif 000011
【図１０】
2013201025.tif 000012